(57)【要約】  【課題】  光ディスクの印刷面に印刷を行う印刷機構を設けても、そのスペースをあまり取ることがなく構成でき、装置の小型化を十分に図ることができ、また、コストダウンも図ることができる光ディスク記録再生装置を提供する。  【解決手段】  光ディスクＤの印刷面に対して印刷を行うプリンタヘッド７を光学ピックアップモジュール５と一体化して光学ピックアップモジュール５の移動機構に含まれる支持棒１４，１５に取り付けることにより、光ディスクＤの印刷面への印刷時に移動機構を利用してプリンタヘッド７を移動させ、印刷面への印刷を行う。プリンタヘッド７と光学ピックアップモジュール５とを一体化することにより、印刷機構のスペースをあまり取ることがなく構成でき、装置の小型化を十分に図ることができ、また、光学ピックアップモジュールの移動機構がプリンタヘッドの移動機構と兼ねているので、その分、コストダウンを図れる。【選択図】      図２
2005116115.tif 000002
【特許請求の範囲】
【請求項１】
光ディスクに対して情報を記録・再生するためのレーザ光を出射すると共に光ディスク
からの反射光を受光して電気信号として出力する光学ピックアップモジュールを備え、光
ディスクに対して情報を記録したり、光ディスクに記録された情報を再生したりする光デ
ィスク記録再生装置において、前記光学ピックアップモジュールと一体化され、前記光学
ピックアップモジュールの移動機構に取り付けられ、光ディスクの印刷面と対向配置され
たプリンタノズルを有するプリンタヘッドと、前記光ディスクの印刷面に印刷すべき印刷
画像のデータを入力するデータ入力手段と、該データ入力手段により入力された印刷画像
のデータを格納するメモリと、印刷処理時に前記メモリから印刷画像のデータを読み出し
、該データを前記光ディスクの周方向に対応したインクジェット制御データに変換し、該
インクジェット制御データに基づいて前記プリンタヘッドのプリンタノズルを制御するプ
リンタヘッド制御手段とを備えたことを特徴とする光ディスク記録再生装置。
【請求項２】
光ディスクに対して情報を記録・再生するためのレーザ光を出射すると共に光ディスク
からの反射光を受光して電気信号として出力する光学ピックアップモジュールを備え、光
ディスクに対して情報を記録したり、光ディスクに記録された情報を再生したりする光デ
ィスク記録再生装置において、光ディスクの印刷面に対して印刷を行うプリンタヘッドを
、光学ピックアップモジュールの移動機構に設けることにより、前記光ディスクの印刷面
への印刷時に、前記移動機構を利用して前記プリンタヘッドを移動させ、前記印刷面への
印刷を行うことを特徴とする光ディスク記録再生装置。
【請求項３】
プリンタヘッドは、光学ピックアップモジュールと一体化され、前記光学ピックアップ
モジュールの移動機構に取り付けられ、光ディスクの印刷面と対向配置されたプリンタノ
ズルを有することを特徴とする請求項２に記載の光ディスク記録再生装置。
【請求項４】
光ディスクの印刷面に印刷すべき印刷画像のデータを入力するデータ入力手段と、該デ
ータ入力手段により入力された印刷画像のデータを格納するメモリと、前記印刷面への印
刷処理時に前記メモリから印刷画像のデータを読み出し、該データを前記光ディスクの周
方向に対応したインクジェット制御データに変換し、該インクジェット制御データに基づ
いて前記プリンタヘッドのプリンタノズルを制御するプリンタヘッド制御手段とを備えた
ことを特徴とする請求項２または請求項３に記載の光ディスク記録再生装置。
【発明の詳細な説明】
【技術分野】
【０００１】
本発明は、光ディスクに情報を記録したり、光ディスクの情報を再生したりする光ディ
スク記録再生装置に関し、特に、光ディスクの印刷面に画像を印刷することも可能な光デ
ィスク記録再生装置に関する。
【背景技術】
【０００２】
従来、ＣＤ（コンパクト・ディスク）やＤＶＤ（デジタル・バーサタイル・ディスク）
などの光ディスクにおいては、片面は、情報の記録や読み出しを行う記録面として使用さ
れ、もう一方の面は、一般にタイトルなどを印刷する印刷面として使用される。ＣＤやＤ
ＶＤなどの場合は、一般的に同一デザインのものを大量出版するため大型の印刷装置によ
って行うが、中には少数枚毎または１枚毎に印刷内容を変えたい場合がある。このような
場合には、大型の印刷装置は必要でなく、小型のプリンタが望まれる。
【特許文献１】特開平５−２３８００５号公報
【特許文献２】特開２００１−６７７５６号公報
【発明の開示】
【発明が解決しようとする課題】
【０００３】
そこで、特許文献１の従来技術では、光ディスクのレーベル面（印刷面）に対向して配
置されたインクジェット装置を設け、このインクジェット装置からのインクの噴射により
、光ディスクのレーベル面に印刷を行うようにしているが、インクジェット装置を設ける
スペースが余分に必要になり、したがって、光ディスク記録再生装置の本体がインクジェ
ット装置を設けた分だけ大きくなり、装置の小型化を十分に図ることができず、また、コ
ストダウンを図ることも難しいという課題が生じる。
【０００４】
また、特許文献２の従来技術では、光ディスクの印刷面に印刷を行うための記録ユニッ
トを設けているが、この場合も、記録ユニットを設けるスペースが余分に必要になり、こ
れにより、装置の小型化を十分に図ることができず、また、コストダウンも図ることが難
しいという課題が生じる。
【０００５】
本発明は、上記のような課題を解決するためになされたもので、光ディスクの印刷面に
印刷を行う印刷機構を設けても、そのスペースをあまり取ることがなく構成でき、これに
より、装置の小型化を十分に図ることができ、また、コストダウンも図ることができる光
ディスク記録再生装置を提供することを目的とする。
【課題を解決するための手段】
【０００６】
上記目的を達成するために、請求項１の発明は、光ディスクに対して情報を記録・再生
するためのレーザ光を出射すると共に光ディスクからの反射光を受光して電気信号として
出力する光学ピックアップモジュールを備え、光ディスクに対して情報を記録したり、光
ディスクに記録された情報を再生したりする光ディスク記録再生装置において、前記光学
ピックアップモジュールと一体化され、前記光学ピックアップモジュールの移動機構に取
り付けられ、光ディスクの印刷面と対向配置されたプリンタノズルを有するプリンタヘッ
ドと、前記光ディスクの印刷面に印刷すべき印刷画像のデータを入力するデータ入力手段
と、該データ入力手段により入力された印刷画像のデータを格納するメモリと、印刷処理
時に前記メモリから印刷画像のデータを読み出し、該データを前記光ディスクの周方向に
対応したインクジェット制御データに変換し、該インクジェット制御データに基づいて前
記プリンタヘッドのプリンタノズルを制御するプリンタヘッド制御手段とを備えたことを
特徴とする光ディスク記録再生装置を提供する。
【０００７】
この構成において、パーソナルコンピュータなどで作成された画像データはデータ入力
手段より入力され、このデータ入力手段に入力された画像データは、メモリに格納される
。次に、プリンタヘッド制御手段は、印刷処理時にメモリから印刷すべき画像データを読
み出し、この画像データを光ディスクの周方向に対応したインクジェット制御データに変
換し、このインクジェット制御データに基づいてプリンタヘッドのプリンタノズルを制御
する。これにより、回転している光ディスクの印刷面にプリンタノズルからインクが噴射
され、印刷面に画像が印刷される。
【０００８】
この構成によれば、光学ピックアップモジュールと一体化され、光学ピックアップモジ
ュールの移動機構に取り付けられ、光ディスクの印刷面と対向配置されたプリンタノズル
を有するプリンタヘッドを備えて印刷機構を構成したので、その印刷機構のスペースをあ
まり取ることがなく構成でき、これにより、装置の小型化を十分に図ることができる。ま
た、光学ピックアップモジュールの移動機構がプリンタヘッドの移動機構と兼ねているの
で、その分、コストダウンを図れる。
【０００９】
請求項２の発明は、光ディスクに対して情報を記録・再生するためのレーザ光を出射す
ると共に光ディスクからの反射光を受光して電気信号として出力する光学ピックアップモ
ジュールを備え、光ディスクに対して情報を記録したり、光ディスクに記録された情報を
再生したりする光ディスク記録再生装置において、光ディスクの印刷面に対して印刷を行
うプリンタヘッドを、光学ピックアップモジュールの移動機構に設けることにより、前記
光ディスクの印刷面への印刷時に、前記移動機構を利用して前記プリンタヘッドを移動さ
せ、前記印刷面への印刷を行うことを特徴とする光ディスク記録再生装置を提供する。
【００１０】
この構成において、光ディスクの印刷面への印刷時には、移動機構を利用してプリンタ
ヘッドを移動させ、前記印刷面への印刷を行うので、印刷機構のスペースをあまり取るこ
とがなく構成でき、これにより、装置の小型化を十分に図ることができる。また、光学ピ
ックアップモジュールの移動機構がプリンタヘッドの移動機構と兼ねているので、その分
、コストダウンを図れる。
【００１１】
請求項３の発明では、請求項２の発明におけるプリンタヘッドは、光学ピックアップモ
ジュールと一体化され、光学ピックアップモジュールの移動機構に取り付けられ、光ディ
スクの印刷面と対向配置されたプリンタノズルを有するので、印刷機構のスペースをあま
り取ることがなく構成でき、装置の小型化に貢献できる。光学ピックアップモジュールの
移動機構がプリンタヘッドの移動機構と兼ねているので、その分、コストダウンを図るこ
とに貢献できる。
【００１２】
請求項４の発明では、請求項２または請求項３の発明において、光ディスクの印刷面に
印刷すべき印刷画像のデータを入力するデータ入力手段と、該データ入力手段により入力
された印刷画像のデータを格納するメモリと、前記印刷面への印刷処理時に前記メモリか
ら印刷画像のデータを読み出し、該データを前記光ディスクの周方向に対応したインクジ
ェット制御データに変換し、該インクジェット制御データに基づいて前記プリンタヘッド
のプリンタノズルを制御するプリンタヘッド制御手段とを備えたので、パーソナルコンピ
ュータなどで作成された画像データはデータ入力手段より入力でき、このデータ入力手段
に入力された画像データは、メモリに格納できる。また、プリンタヘッド制御手段は、印
刷処理時にメモリから印刷すべき画像データを読み出し、この画像データを光ディスクの
周方向に対応したインクジェット制御データに変換し、このインクジェット制御データに
基づいてプリンタヘッドのプリンタノズルを制御することにより、回転している光ディス
クの印刷面に画像を印刷することができる。
【発明の効果】
【００１３】
以上のように本発明によれば、光学ピックアップモジュールと一体化され、前記光学ピ
ックアップモジュールの移動機構に取り付けられ、光ディスクの印刷面と対向配置された
プリンタノズルを有するプリンタヘッドと、前記光ディスクの印刷面に印刷すべき印刷画
像のデータを入力するデータ入力手段と、該データ入力手段により入力された印刷画像の
データを格納するメモリと、印刷処理時に前記メモリから印刷画像のデータを読み出し、
該データを前記光ディスクの周方向に対応したインクジェット制御データに変換し、該イ
ンクジェット制御データに基づいて前記プリンタヘッドのプリンタノズルを制御するプリ
ンタヘッド制御手段とを備えたので、印刷機構のスペースをあまり取ることがなく構成で
き、これにより、装置の小型化を十分に図ることができる。また、光学ピックアップモジ
ュールの移動機構がプリンタヘッドの移動機構と兼ねているので、その分、コストダウン
を図れる。
【００１４】
請求項２の発明は、光ディスクの印刷面に対して印刷を行うプリンタヘッドを、光学ピ
ックアップモジュールの移動機構に設けることにより、前記光ディスクの印刷面への印刷
時に、前記移動機構を利用して前記プリンタヘッドを移動させ、前記印刷面への印刷を行
うので、印刷機構のスペースをあまり取ることがなく構成でき、これにより、装置の小型
化を十分に図ることができる。また、光学ピックアップモジュールの移動機構がプリンタ
ヘッドの移動機構と兼ねているので、その分、コストダウンを図れる。
【発明を実施するための最良の形態】
【００１５】
以下、添付図面を参照しつつ、本発明の実施の形態について説明する。図１は本発明の
一実施形態に係る光ディスク記録再生装置の構成を示すブロック図である。
【００１６】
図１において、光ディスク記録再生装置は、光ディスクに対して情報を記録・再生する
ためのレーザ光を出射すると共に光ディスクからの反射光を受光して電気信号として出力
する光学ピックアップモジュール５と、光ディスクに情報を記録したり光ディスクから情
報を再生したりするために光学ピックアップモジュール５を制御する情報記録／再生制御
回路６と、光ディスクを回転させるスピンドルモータ３と、このスピンドルモータ３を駆
動制御することにより光ディスクの回転を制御するディスク回転制御回路４と、光学ピッ
クアップモジュール５を光ディスクの半径方向に移動させるためのスレッジモータ１と、
このスレッジモータ１を駆動制御するスレッジモータ制御回路２とを備えている。
【００１７】
また、光ディスク記録再生装置は、記録や再生などの処理に関する操作を行うための複
数のキーを有するユーザ操作部１０と、光ディスクに記録したい画像データや音楽データ
を格納したり、光ディスクの印刷面に印刷したい印刷画像データを格納したりするメモリ
１１と、パーソナルコンピュータ等との間でデータの入出力を行うと共に、パーソナルコ
ンピュータ等からの画像データや音楽データあるいは印刷画像データをメモリ１１に書き
込んだりするデータ入出力インターフェース１２とを備えている。
【００１８】
更に、光ディスク記録再生装置は、光学ピックアップモジュール５と一体化され、光学
ピックアップモジュール５の移動機構に取り付けられ、光ディスクの印刷面と対向配置さ
れたプリンタノズルを有するプリンタヘッド７と、印刷処理時にメモリ１１から印刷画像
のデータを読み出し、該データを光ディスクの周方向に対応したインクジェット制御デー
タに変換し、該インクジェット制御データに基づいてプリンタヘッド７のプリンタノズル
を制御するプリンタヘッド制御回路８とを備えている。
【００１９】
また、光ディスク記録再生装置は、システム全体を制御するマイクロコンピュータ９を
備え、このマイクロコンピュータ９には、スレッジモータ制御回路２、ディスク回転制御
回路４、情報記録／再生制御回路６、プリンタヘッド制御回路８、ユーザ操作部１０等が
接続されている。
【００２０】
図２は光学ピックアップモジュール５およびプリンタヘッド７の構成を説明するための
平面図であり、図３は光学ピックアップモジュール５およびプリンタヘッド７の構成を説
明するための斜視図である。また、図４はプリンタヘッド７のプリンタノズル７ａからイ
ンクが噴射されている状態を説明するための側面図である。図４に示すように、光ディス
クＤは、印刷する際は、記録面Ｄａと反対面の印刷面Ｄｂがプリンタヘッド７側に面する
ようにトレイ（図示せず）にセットされる。
【００２１】
図２〜図４に示すように、光ディスクＤの印刷面Ｄｂと対向配置されたプリンタノズル
７ａを有するプリンタヘッド７は、光学ピックアップモジュール５と一体化され、光学ピ
ックアップモジュール５とプリンタヘッド７とが枠体１３に固定されている。枠体１３は
支持棒１４，１５に取り付けられており、支持棒１４，１５を含む移動機構により、光学
ピックアップモジュール５およびプリンタヘッド７が光ディスクＤの半径方向に移動でき
るように構成されている。移動機構は、スレッジモータ１（図１参照）とギヤ−（図示せ
ず）などを介して連動されており、スレッジモータ１の回転により支持棒１４，１５が光
ディスクＤの半径方向に移動するようになっている。したがって、記録または再生時、あ
るいは印刷時には、光学ピックアップモジュール５およびプリンタヘッド７は光ディスク
Ｄの半径方向に移動することになる。
【００２２】
プリンタヘッド７のプリンタノズル７ａにはインク供給管７ｂの一端が接続され、イン
ク供給管７ｂの他端はポンプ１６を介してインクカートリッジ１７に接続されている。印
刷時には、ポンプ１６が駆動し、インクカートリッジ１７内のインクがポンプ１６により
吸い出され、インク供給管７ｂを介してプリンタノズル７ａに供給される。これにより、
プリンタノズル７ａからはインクが光ディスクＤの印刷面Ｄｂに向かって噴射することに
なる。
【００２３】
光ディスクＤの記録／再生のときは、通常の使用方法どおり光ディスクＤの記録面Ｄａ
を光学ピックアップモジュール５側に向けて使用し、光ディスクＤの表面である印刷面Ｄ
ｂに印刷したいときは、印刷面Ｄｂを光学ピックアップモジュール５側に向けて、即ちプ
リンタヘッド７側に向けて使用する。このような機構により通常の光ディスクの使用だけ
でなく、プリンタヘッド７は、光学ピックアップモジュール５の移動機構と光ディスクＤ
の回転機構を用いて光ディスクＤに印刷することができる。
【００２４】
ここで、光ディスクＤの印刷面Ｄｂに画像を印刷する場合の動作について説明する。先
ず、ユーザは図示しないパーソナルコンピュータなどを用いて光ディスクＤの印刷面Ｄｂ
に印刷したい画像を作成し、この画像データをデータ入出力インターフェース１２より入
力する。そして、データ入出力インターフェース１２に入力された画像データは、メモリ
１１に格納される。
【００２５】
次に、プリンタヘッド制御回路８は、印刷処理時にメモリ１１から印刷すべき画像デー
タを読み出し、この画像データを光ディスクＤの周方向に対応したインクジェット制御デ
ータに変換し、このインクジェット制御データに基づいてプリンタヘッド７のプリンタノ
ズル７ａを制御する。この印刷処理時には、光ディスクＤを回転させると共に、プリンタ
ヘッド７を光ディスクＤの半径方向に移動させる必要があるので、マイクロコンピュータ
９は、ディスク回転制御回路４およびスレッジモータ制御回路２を制御して、スピンドル
モータ３およびスレッジモータ１を回転させる。
【００２６】
印刷処理時は、スピンドルモータ３により光ディスクＤを回転させて、光ディスクＤの
印刷面Ｄｂに対してプリンタヘッド７のプリンタノズル７ａを位置決めして、光ディスク
Ｄの回転を一旦停止させ、この後、光ディスクＤを再び回転させながらプリンタヘッド７
のプリンタノズル７ａからインクを光ディスクＤの印刷面Ｄｂに向かって噴射し、光ディ
スクＤの所定幅の１周分の印刷を行う。この１周分の印刷を終えた後、再び、プリンタノ
ズル７ａの位置決めを行い、同様に光ディスクＤの所定幅の１周分の印刷を行う。このよ
うな印刷処理を繰り返すことにより、光ディスクＤの印刷面Ｄｂにはパーソナルコンピュ
ータなどで作成された画像が印刷されることになる。
【００２７】
以上のように本実施形態によれば、光学ピックアップモジュール５と一体化され、光学
ピックアップモジュール５の支持棒１４，１５（移動機構）に取り付けられ、光ディスク
Ｄの印刷面Ｄｂと対向配置されたプリンタノズル７ａを有するプリンタヘッド７を備えて
印刷機構を構成したので、その印刷機構のスペースをあまり取ることがなく構成でき、こ
れにより、装置の小型化を十分に図ることができる。また、光学ピックアップモジュール
５の移動機構がプリンタヘッド７の移動機構と兼ねているので、その分、コストダウンを
図れる。
【図面の簡単な説明】
【００２８】
【図１】本発明の一実施形態に係る光ディスク記録再生装置の構成を示すブロック図である。
【図２】前記実施形態において光学ピックアップモジュールおよびプリンタヘッドの構成を説明するための平面図である。
【図３】前記実施形態において光学ピックアップモジュールおよびプリンタヘッドの構成を説明するための斜視図である。
【図４】前記実施形態においてプリンタヘッドのプリンタノズルからインクが噴射されている状態を説明するための側面図である。
【符号の説明】
【００２９】
Ｄ    光ディスク
Ｄｂ    印刷面
５    光学ピックアップモジュール
７    プリンタヘッド
７ａ    プリンタノズル
８    プリンタヘッド制御回路（プリンタヘッド制御手段）
１１    メモリ
１２    データ入出力インターフェース（データ入力手段を含む）
１４，１５    支持棒（移動機構に含まれる）
【図１】
2005116115.tif 000003
【図２】
2005116115.tif 000004
【図３】
2005116115.tif 000005
【図４】
2005116115.tif 000006